(57)【要約】【課題】タッチ入力パネルが配備されている携帯型電子機器において、タッチ入力パネルの操作性を向上させると共に、携帯型電子機器の大型化を回避する。【解決手段】本発明の一実施形態に係るデジタルカメラにおいては、バイブレータ３は、液晶表示パネル１の背面１２側にて液晶表示パネル１と非接触な状態で配置されると共に、バイブレータ３の一部が液晶表示パネル１の下端面１３から突出している。液晶表示パネル１の下端面１３側には、シャーシ５の一部であるシャーシ部５１が配置され、該シャーシ部５１の表面５１１にタッチ入力パネル２の背面２２が接触する一方、該シャーシ部５１の背面５１２にバイブレータ３の突出した一部が接触している。【選択図】図７
2010108210.tif 000002
【特許請求の範囲】
【請求項１】
画像表示パネルと、該画像表示パネルの表面側に配備されたタッチ入力パネルと、該タッチ入力パネルの操作時に振動を発生する振動発生機構とを具える携帯型電子機器において、
前記振動発生機構は、振動を発生する振動発生部と、該振動を前記タッチ入力パネルに伝達する伝達部とから構成され、前記振動発生部は、前記画像表示パネルの背面側にて該画像表示パネルと非接触な状態で配置されると共に、該振動発生部の一部が前記画像表示パネルの側面から突出し、前記伝達部は、前記振動発生部のうち前記画像表示パネルの側面から突出している一部と前記タッチ入力パネルとの間に介在して該振動発生部の一部とタッチ入力パネルに接触していることを特徴とする携帯型電子機器。
【請求項２】
キャビネットと、該キャビネットを支持するシャーシとを更に具え、前記キャビネットの表面に前記タッチ入力パネルが取り付けられると共に、該キャビネットの内部に前記画像表示パネルが配置され、該画像表示パネルの端面側に、前記伝達部となる前記シャーシの一部が配置され、該シャーシの一部の表面に前記タッチ入力パネルの背面が接触する一方、該シャーシの一部の背面に前記振動発生部が接触している請求項１に記載の携帯型電子機器。
【発明の詳細な説明】
【技術分野】
【０００１】
本発明は、携帯型電子機器に関し、特にタッチ入力パネルが配備されている携帯型電子機器に関する。
【背景技術】
【０００２】
従来から、液晶表示パネルとタッチ入力パネルを具える携帯型電子機器には、該タッチ入力パネルの操作性を向上すべく、該タッチ入力パネルの操作時に振動を発生して該振動を該タッチ入力パネルに付与する振動発生機構が配備されている。
【０００３】
例えば、特許文献１に開示の携帯型電子機器においては、タッチ入力パネルは液晶表示パネルの表面側に配置されると共に、振動発生機構は、液晶表示パネルの上端側の位置にてタッチ入力パネルの背面に取り付けられており、該振動発生機構によってタッチ入力パネルに振動が付与される。
【０００４】
又、特許文献２に開示の携帯型電子機器においては、タッチ入力パネルは液晶表示パネルの表面側に配置されると共に、振動発生機構は、液晶表示パネルの背面側の位置にて、該液晶表示パネルと非接触な状態で筐体に配備されている。そして、該振動発生機構で発生した振動は、筐体を伝わってタッチ入力パネルに付与される。
【特許文献１】特開２０００−２２２１２８号公報
【特許文献２】特開２００３−３３０６１８号公報
【発明の開示】
【発明が解決しようとする課題】
【０００５】
しかし、特許文献１に開示の携帯型電子機器では、振動発生機構が液晶表示パネルの上端側に配置されているので、携帯型電子機器が上下方向に大型化してしまう。
又、特許文献２に開示の携帯型電子機器では、筐体を利用して、振動発生機構で発生した振動をタッチ入力パネルに付与しているので、振動がタッチ入力パネルに伝わりにくい虞がある。
【０００６】
そこで本発明の目的は、タッチ入力パネルが配備されている携帯型電子機器において、タッチ入力パネルの操作性を向上させると共に、携帯型電子機器の大型化を回避することである。
【課題を解決するための手段】
【０００７】
本発明に係る携帯型電子機器は、画像表示パネル（１）と、該画像表示パネル（１）の表面側に配備されたタッチ入力パネル（２）と、該タッチ入力パネル（２）の操作時に振動を発生する振動発生機構とを具える。
前記振動発生機構は、振動を発生する振動発生部（３）と、該振動を前記タッチ入力パネル（２）に伝達する伝達部とから構成され、前記振動発生部（３）は、前記画像表示パネル（１）の背面側にて該画像表示パネル（１）と非接触な状態で配置されると共に、該振動発生部（３）の一部が前記画像表示パネル（１）の側面から突出し、前記伝達部（３２）は、前記振動発生部（３）のうち前記画像表示パネル（１）の側面から突出している一部と前記タッチ入力パネル（２）との間に介在して該振動発生部（３）の一部とタッチ入力パネル（２）に接触している。
【０００８】
具体的構成において、上記携帯型電子機器は、キャビネット（４）と、該キャビネット（４）を支持するシャーシ（５）とを更に具え、前記キャビネット（４）の表面に前記タッチ入力パネル（２）が取り付けられると共に、該キャビネット（４）の内部に前記画像表示パネル（１）が配置され、該画像表示パネル（１）の端面側に、前記伝達部となる前記シャーシの一部（５１）が配置され、該シャーシの一部（５１）の表面に前記タッチ入力パネル（２）の背面が接触する一方、該シャーシの一部（５１）の背面に前記振動発生部（３）が接触している。
【０００９】
上記携帯型電子機器によれば、振動発生部（３）が画像表示パネル（１）と非接触な状態で配置されているので、振動発生部（３）で発生した振動が画像表示パネル（１）に直接付与されることがなく、その結果、画像表示パネル（１）に映し出された画像が、振動によって乱れることが殆どない。
一方、伝達部が、振動発生部（３）とタッチ入力パネル（２）の間に介在してこれらに接触しているので、タッチ入力パネル（２）の操作時に振動発生部（３）によって発生した振動は、伝達部を経てタッチ入力パネル（２）に伝達される。よって、タッチ入力パネル（２）の操作性が向上することとなる。
【００１０】
又、振動発生部（３）は、画像表示パネル（１）の背面側に配置されているので、振動発生部（３）を配備したことによる携帯型電子機器の大型化を回避することが出来る。
しかも、振動発生部（３）は、その一部を画像表示パネル（１）の端面から突出させた状態で配置されているので、該振動発生部（３）の一部とタッチ入力パネル（２）との間に伝達部を介在させた簡易な構成で、振動発生部（３）で発生した振動をタッチ入力パネル（２）に伝達することが可能となっている。
【発明の効果】
【００１１】
本発明に係る携帯型電子機器によれば、タッチ入力パネルの操作性が向上すると共に、携帯型電子機器の大型化が回避される。
【発明を実施するための最良の形態】
【００１２】
以下、本発明を携帯電話機に実施した形態につき、図面に沿って具体的に説明する。
本発明に係る一実施形態である携帯電話機は、図１に示される様に、フロントキャビネット４１とバックキャビネット４２からなるキャビネット４を有しており、フロントキャビネット４１及びバックキャビネット４２は、図５に示される様に、シャーシ５によって支持されている。尚、シャーシ５の材質には、マグネシウムが用いられている。
【００１３】
キャビネット４の内部には、図６に示される様に、液晶表示パネル１とバイブレータ３が配備されている。バイブレータ３は、振動を発生する振動発生部として機能するものであって、図７に示される様に、液晶表示パネル１の背面１２側にて該液晶表示パネル１と非接触な状態で配置されると共に、バイブレータ３の一部が液晶表示パネル１の下端面１３から下方に突出している。
【００１４】
フロントキャビネット４１には、該液晶表示パネル１の表面１１側の位置にタッチ入力パネル２が取り付けられ、該タッチ入力パネル２は、透明な素材から構成されている。これにより、液晶表示パネル１の表示画面１１をキャビネット４の表面側から視認することが可能になり、又、表示画面１１を視認しながらタッチ入力パネル２を操作することが可能になっている。
【００１５】
液晶表示パネル１の下端面１３側には、シャーシ５の一部であるシャーシ部５１が下端面１３と非接触な状態で配置されており、該シャーシ部５１の表面５１１にタッチ入力パネル２の背面２２が接触する一方、該シャーシ部５１の背面５１２にバイブレータ３の突出した一部が接触している。即ち、シャーシ部５１は、タッチ入力パネル２とバイブレータ３の突出した一部との間に介在してこれらに接触している。
【００１６】
これにより、バイブレータ３で発生した振動は、シャーシ部５１によってタッチ入力パネル２に伝達される。即ち、シャーシ部５１は、バイブレータ３で発生した振動をタッチ入力パネル２に伝達する伝達部として機能する。その結果、タッチ入力パネル２に振動が付与されることとなる。
尚、タッチ入力パネル２への振動の付与は、タッチ入力パネル２の操作時に行われる。よって、タッチ入力パネル２は、その操作時に振動することとなる。
【００１７】
上述したように、バイブレータ３とシャーシ部５１によってタッチ入力パネル２に振動が付与されることに鑑みれば、バイブレータ３とシャーシ部５１は、タッチ入力パネル２に振動を付与する振動発生機構を構成していると把握することが出来る。
【００１８】
上述したバイブレータ３は、図５に示される様に、バックキャビネット４２側からキャビネット４の内部へ挿入される。
具体的には、バックキャビネット４２の下端部には、図７に示される様に、液晶表示パネル１の背面１２及びシャーシ部５１の背面５１２の何れにも対向する領域に、貫通孔４２３が設けられている。又、図５に示される様に、バイブレータ３の側面には、互いに反対側へ突出した一対の凸部３１，３２が形成される一方、貫通孔４２３の両側には、一対の凹部４２１，４２２が形成されている。
【００１９】
そして、貫通孔４２３からバイブレータ３を挿入することにより、図９に示される様に、一対の凸部３１，３２が一対の凹部４２１，４２２に係合して、バイブレータ３は、キャビネット４の内部の所定の位置に配置されることとなる。つまり、図７に示される様に、バイブレータ３の一部がシャーシ部５１の背面５１２に接触すると共に、バイブレータ３が液晶表示パネル１と非接触な状態となる位置に、バイブレータ３は配置されることとなる。
【００２０】
バイブレータ３をキャビネット４の内部に配備した後、貫通孔４２１は、図２及び図５に示される様に、カバー部材６によって塞がれる。
【００２１】
上述した携帯電話機によれば、バイブレータ３が液晶表示パネル１と非接触な状態で配置されているので、バイブレータ３で発生した振動が液晶表示パネル１に直接付与されることがなく、その結果、液晶表示パネル１に映し出された画像が、振動によって乱れることが殆どない。
一方、シャーシ５のシャーシ部５１が、バイブレータ３とタッチ入力パネル２の間に介在してこれらに接触しているので、タッチ入力パネル２の操作時にバイブレータ３によって発生した振動は、シャーシ部５１を経てタッチ入力パネル２に伝達される。よって、タッチ入力パネル２の操作性が向上することとなる。
【００２２】
尚、バイブレータ３によって発生した振動は、タッチ入力パネル２を介してキャビネット４に伝達されてもよいし、キャビネット４に直接伝達されてもよい。これにより、携帯電話機の操作者は、タッチ入力パネル２の操作時に発生する振動を確実に感じることが出来、その結果、タッチ入力パネル２の操作性がより向上することとなる。
【００２３】
又、本実施の形態においては、バイブレータ３は、液晶表示パネル１の背面１２側に配置されているので、バイブレータ３を配備したことによる携帯電話機の上下方向への大型化を回避することが出来る。
しかも、バイブレータ３は、その一部を液晶表示パネル１の下端面１３から突出させた状態で配置されているので、該バイブレータ３の一部とタッチ入力パネル２との間にシャーシ５の一部（シャーシ部５１）を介在させた簡易な構成で、バイブレータ３で発生した振動をタッチ入力パネル２に伝達することが可能となっている。
【００２４】
尚、本発明の各部構成は上記実施の形態に限らず、特許請求の範囲に記載の技術的範囲内で種々の変形が可能である。例えば、上述した技術は、携帯電話機に限らず、ＰＤＡ（Personal  Digital  Assistant）やカーナビゲーションシステムなど、タッチ入力パネルを有する種々の携帯型電子機器に適用することができる。
【００２５】
又、上記実施の形態では、バイブレータ３を液晶表示パネル１の背面１２側に配置すると共に、バイブレータ３の一部を液晶表示パネル１の下端面１３から下方に突出させ、シャーシ５のシャーシ部５１を、液晶表示パネル１の下端面１３側に配置してバイブレータ３とタッチ入力パネル２に接触させたが、本発明の構成は、これに限られるものではない。
例えば、バイブレータ３を液晶表示パネル１の背面１２側に配置すると共に、バイブレータ３の一部を液晶表示パネル１の上端面から上方に突出させ、シャーシ５のシャーシ部５１を、液晶表示パネル１の上端面側に配置してバイブレータ３とタッチ入力パネル２に接触させてもよい。
【図面の簡単な説明】
【００２６】
【図１】本発明の一実施形態である携帯電話機を表面側から見た斜視図である。
【図２】該携帯電話機を背面側から見た斜視図である。
【図３】該携帯電話機を表面側から見た平面図である。
【図４】該携帯電話機を背面側から見た平面図である。
【図５】該携帯電話機の分解斜視図である。
【図６】図３に示されるVI−VI線に沿う断面図である。
【図７】図６に示されるVII領域の拡大図である。
【図８】図４に示されるVIII−VIII線に沿う断面図である。
【図９】図８に示されるIX領域の拡大図である。
【符号の説明】
【００２７】
１  液晶表示パネル（画像表示パネル）
２  タッチ入力パネル
３  バイブレータ（振動発生部）
４  キャビネット
４１  フロントキャビネット
４２  バックキャビネット
５  シャーシ
５１  シャーシ部（伝達部）
【図１】
2010108210.tif 000003
【図２】
2010108210.tif 000004
【図３】
2010108210.tif 000005
【図４】
2010108210.tif 000006
【図５】
2010108210.tif 000007
【図６】
2010108210.tif 000008
【図７】
2010108210.tif 000009
【図８】
2010108210.tif 000010
【図９】
2010108210.tif 000011